(57)【要約】【課題】電力を効率よく利用した表示を可能にする技術を提供する。【解決手段】本発明の表示装置は、複数の光源部を有する発光手段と、前記発光手段からの光を画像データに基づいて変調することにより画像を表示する表示手段と、前記光源部の目標輝度に基づいて、前記光源部の発光輝度を目標輝度へ制御する値であり、且つ、前記光源部の駆動時間に関する値である駆動値を決定する決定処理を、各光源部に対して行う第１決定手段と、各光源部の駆動値に基づいて、前記複数の光源部にそれぞれ対応する複数の駆動時間の総和である総駆動時間が閾値よりも長い場合に、前記総駆動時間が前記閾値以下となるように、各光源部の駆動値を補正する補正手段と、を有する。【選択図】図１
2018031946.tif 000002
【特許請求の範囲】
【請求項１】
複数の光源部を有する発光手段と、
前記発光手段からの光を画像データに基づいて変調することにより画像を表示する表示手段と、
前記光源部の目標輝度に基づいて、前記光源部の発光輝度を目標輝度へ制御する値であり、且つ、前記光源部の駆動時間に関する値である駆動値を決定する決定処理を、各光源部に対して行う第１決定手段と、
各光源部の駆動値に基づいて、前記複数の光源部にそれぞれ対応する複数の駆動時間の総和である総駆動時間が閾値よりも長い場合に、前記総駆動時間が前記閾値以下となるように、各光源部の駆動値を補正する補正手段と、
を有することを特徴とする表示装置。
【請求項２】
前記各光源部の目標輝度を個別に決定する第２決定手段、をさらに有する
ことを特徴とする請求項１に記載の表示装置。
【請求項３】
前記第１決定手段は、各光源部の発光効率を考慮して各光源部の駆動値を決定する
ことを特徴とする請求項１または２に記載の表示装置。
【請求項４】
前記決定処理は、
前記光源部の目標輝度、
前記光源部の発光効率が基準の発光効率である場合における、前記光源部の発光輝度と前記光源部の駆動値との対応関係、及び、
前記光源部の発光効率と前記基準の発光効率との間の差
に基づいて、前記光源部の駆動値を決定する処理である
ことを特徴とする請求項１〜３のいずれか１項に記載の表示装置。
【請求項５】
前記光源部の発光効率と前記基準の発光効率との間の差は、前記光源部の製造時に生じた差、前記光源部の温度変化に起因して生じた差、及び、前記光源部の経年劣化に起因して生じた差の少なくともいずれかを含む
ことを特徴とする請求項４に記載の表示装置。
【請求項６】
前記駆動値は、前記駆動時間に比例する値であり、
前記補正手段は、前記総駆動時間が前記閾値よりも長い場合に、前記総駆動時間に対する前記閾値の割合を各光源部の駆動値に乗算することにより、各光源部の駆動値を補正する
ことを特徴とする請求項１〜５のいずれか１項に記載の表示装置。
【請求項７】
各光源部は、発光色が互いに異なる複数の色光源部を有し、
前記第１決定手段は、前記色光源部の目標輝度に基づいて前記色光源部の駆動値を決定する前記決定処理を、各色光源部に対して行い、
前記補正手段は、各色光源部の駆動値に基づいて、発光色が同じ複数の色光源部にそれぞれ対応する複数の駆動時間の総和である前記総駆動時間が前記閾値よりも長い場合に、前記総駆動時間が前記閾値以下となるように、各色光源部の駆動値を補正する
ことを特徴とする請求項１〜６のいずれか１項に記載の表示装置。
【請求項８】
前記駆動値は、前記駆動時間に比例する値であり、
前記総駆動時間が前記閾値よりも長い発光色が複数存在する場合に、前記補正手段は、
前記総駆動時間が前記閾値よりも長い複数の発光色のそれぞれについて、前記総駆動時間に対する前記閾値の割合を決定し、
決定した複数の割合の最小値を各色光源部の駆動値に乗算することにより、各色光源部の駆動値を補正する
ことを特徴とする請求項７に記載の表示装置。
【請求項９】
互いに異なる複数の発光色の間で、前記総駆動時間と比較される前記閾値が異なる
ことを特徴とする請求項７または８に記載の表示装置。
【請求項１０】
前記表示装置は、複数の動作モードを有し、
前記補正手段は、前記表示装置に設定されている動作モードが変更された場合に、前記総駆動時間と比較される前記閾値を変更する
ことを特徴とする請求項１〜９のいずれか１項に記載の表示装置。
【請求項１１】
前記複数の動作モードは、第１モードと、各光源部に供給される電流値が前記第１モードよりも大きい第２モードとを含み、
前記第２モードが設定されている場合において、前記総駆動時間と比較される前記閾値として、前記第１モードが設定されている場合よりも短い時間が使用される
ことを特徴とする請求項１０に記載の表示装置。
【請求項１２】
ユーザによって前記表示装置に対して行われた操作に応じて、前記複数の動作モードのいずれかを設定する設定手段、をさらに有する
ことを特徴とする請求項１０または１１に記載の表示装置。
【請求項１３】
複数の光源部を有する発光手段と、
前記発光手段からの光を画像データに基づいて変調することにより画像を表示する表示手段と、
を有する表示装置の制御方法であって、
前記光源部の目標輝度に基づいて、前記光源部の発光輝度を目標輝度へ制御する値であり、且つ、前記光源部の駆動時間に関する値である駆動値を決定する決定処理を、各光源部に対して行う決定ステップと、
各光源部の駆動値に基づいて、前記複数の光源部にそれぞれ対応する複数の駆動時間の総和である総駆動時間が閾値よりも長い場合に、前記総駆動時間が前記閾値以下となるように、各光源部の駆動値を補正する補正ステップと、
を有することを特徴とする制御方法。
【請求項１４】
請求項１３に記載の制御方法の各ステップをコンピュータに実行させるためのプログラム。
【発明の詳細な説明】
【技術分野】
【０００１】
本発明は、表示装置に関する。
【背景技術】
【０００２】
表示装置で表示された画像（表示画像）の輝度の上限の向上と、表示画像のコントラストの向上とが望まれている。液晶表示装置では、バックライトユニットのローカルデミング制御を行うことにより、白色の表示輝度（画面の輝度）を高め、黒色の表示輝度を低減することができる。それにより、表示画像の輝度の上限の向上と、表示画像のコントラストの向上との両方を実現することができる。
【０００３】
しかしながら、バックライトユニットの発光輝度を高めると、表示輝度を高めることができるものの、バックライトユニットの消費電力が増してしまう。特に、画面の領域全体に対してバックライトユニットの発光輝度を高めると、バックライトユニットの消費電力が大幅に増す。そして、電力（電源が液晶表示装置に出力可能な電力、液晶表示装置に入力可能な電力、等）には上限があり、バックライトユニットの発光輝度を高めることで、液晶表示装置に必要な電力が上限を超えることがある。液晶表示装置に必要な電力が上限を超えると、電源、液晶表示装置の電源回路、等を保護するために、画面が突然暗くなったり、画像が突然表示されなくなったりする。
【０００４】
表示装置に必要な電力が上限を超えるのを防ぐ技術は、例えば、特許文献１に開示されている。特許文献１に開示の技術では、画像データに基づいて表示装置の消費電力が推定され、推定された消費電力が閾値より大きい場合に、推定された消費電力が閾値以下となるように画像データが補正される。
【０００５】
バックライトユニットが複数の光源（発光素子）を有する場合には、複数の光源の間で発光効率（光源の発光効率）がばらつくことがある。発光効率のばらつきは、例えば、光源の製造時に生じる。具体的には、製造時の誤差によって、光源の印加電圧のばらつきが生じる。その結果、発光効率のばらつきが生じる。発光効率は、光源の温度変化、光源の経年劣化、等によって変化する。そのため、発光効率のばらつきは、光源の温度変化、光源の経年劣化、等によっても生じる。
【０００６】
そして、発光効率のばらつきが生じる場合には、各光源の発光輝度を目標輝度（発光輝度の目標）へ制御するために、各光源の発光効率を考慮する必要がある。液晶表示装置の消費電力は、バックライトユニット（光源）を駆動する駆動値に依存する。そして、各光源の発光効率を考慮して駆動値が決定される場合には、駆動値は変化し得る。
【０００７】
そのため、画像データのみから消費電力を推定する方法では、消費電力を高精度に推定できないことがある。即ち、特許文献１に開示の技術では、消費電力を高精度に推定できないことがある。そして、特許文献１に開示の技術では、表示装置に必要な電力が上限を超えるのを確実に防ぐために、上限よりも或る程度小さい電力の値を閾値として使用する必要がある。そのため、特許文献１に開示の技術では、電力を効率よく利用した表示（表示装置の性能や電源の性能を十分に利用した表示）が行えないことがある。
【先行技術文献】
【特許文献】
【０００８】
【特許文献１】特開２００６−１１９４６５号公報
【発明の概要】
【発明が解決しようとする課題】
【０００９】
本発明は、電力を効率よく利用した表示を可能にする技術を提供することを目的とする。
【課題を解決するための手段】
【００１０】
本発明の第１の態様は、
複数の光源部を有する発光手段と、
前記発光手段からの光を画像データに基づいて変調することにより画像を表示する表示手段と、
前記光源部の目標輝度に基づいて、前記光源部の発光輝度を目標輝度へ制御する値であり、且つ、前記光源部の駆動時間に関する値である駆動値を決定する決定処理を、各光源部に対して行う第１決定手段と、
各光源部の駆動値に基づいて、前記複数の光源部にそれぞれ対応する複数の駆動時間の総和である総駆動時間が閾値よりも長い場合に、前記総駆動時間が前記閾値以下となるように、各光源部の駆動値を補正する補正手段と、
を有することを特徴とする表示装置である。
【００１１】
本発明の第２の態様は、
複数の光源部を有する発光手段と、
前記発光手段からの光を画像データに基づいて変調することにより画像を表示する表示手段と、
を有する表示装置の制御方法であって、
前記光源部の目標輝度に基づいて、前記光源部の発光輝度を目標輝度へ制御する値であり、且つ、前記光源部の駆動時間に関する値である駆動値を決定する決定処理を、各光源部に対して行う決定ステップと、
各光源部の駆動値に基づいて、前記複数の光源部にそれぞれ対応する複数の駆動時間の総和である総駆動時間が閾値よりも長い場合に、前記総駆動時間が前記閾値以下となるように、各光源部の駆動値を補正する補正ステップと、
を有することを特徴とする制御方法である。
【００１２】
本発明の第３の態様は、本発明の第２の態様である制御方法の各ステップをコンピュータに実行させるためのプログラムである。
【発明の効果】
【００１３】
本発明によれば、電力を効率よく利用した表示が可能となる。
【図面の簡単な説明】
【００１４】
【図１】実施例１に係る表示装置の構成例を示すブロック図
【図２】実施例１に係る入力画像データとその特徴量の一例を示す図
【図３】実施例１に係る特徴量、基準輝度、及び、目標輝度の一例を示す図
【図４】実施例１に係る発光輝度と駆動時間の一例を示す図
【図５】実施例２に係る表示装置の構成例を示すブロック図
【図６】実施例２に係る合成画像の一例を示す図
【発明を実施するための形態】
【００１５】
＜実施例１＞
以下、本発明の実施例１について説明する。なお、以下では、本実施例に係る表示装置が透過型の液晶表示装置である場合の例を説明するが、本実施例に係る表示装置は透過型の液晶表示装置に限らない。本実施例に係る表示装置は、発光部と、発光部からの光を画
像データに基づいて変調することにより画像を表示する表示部と、を有する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。
【００１６】
図１は、本実施例に係る表示装置１の構成例を示すブロック図である。表示装置１は、液晶パネル部２、バックライトユニット３、特徴量取得部４、ＢＬ基準輝度決定部５、ＢＬ輝度決定部６、入射輝度推定部７、画像補正値決定部８、画像補正部９、ＲＧＢ−ＢＬ輝度決定部１０、及び、駆動時間決定部１１を有する。また、表示装置１は、総駆動時間決定部１２、時間補正値決定部１３、時間補正値選択部１４、駆動時間補正部１５、ＢＬ輝度検出部１６、第２補正値決定部１７、及び、第１補正値記憶部１８を有する。
【００１７】
液晶パネル部２は、バックライトユニット３からの光を画像データに基づいて変調することにより画像を表示する。本実施例では、液晶パネル部２は、液晶ドライバ、コントロール基板、及び、液晶パネルを有する。液晶パネルは、複数の液晶素子を有する。コントロール基板は、液晶パネル部２に入力された画像データに基づいて、液晶ドライバの処理を制御する。液晶ドライバは、コントロール基板からの指示（画像データに基づく指示）に応じて、液晶パネルの各液晶素子を駆動する。それにより、各液晶素子の透過率（開口率；変調率）が、液晶パネル部２に入力された画像データに基づく値に制御される。バックライトユニット３からの光が各液晶素子を透過することにより、画面に画像が表示される。
【００１８】
バックライトユニット３は、複数の光源部を有する。各光源部は、１つ以上の光源（発光素子）を有する。光源としては、発光ダイオード（ＬＥＤ）、有機ＥＬ素子、冷陰極管、等を使用することができる。本実施例では、バックライトユニット３は、複数の光源、各光源の発光を制御する制御回路、及び、各光源から発せられた光を拡散させる光学ユニットを有する。バックライトユニット３は、例えば、水平方向ｍ個×垂直方向ｎ個の光源部を有する。本実施例では、バックライトユニット３は、水平方向１０個×垂直方向６個の光源部を有する。また、本実施例では、各光源部は、発光色が互いに異なる複数の色光源部を有する。具体的には、各光源部は、赤色光を発する色光源部であるＲ光源部、緑色光を発する色光源部であるＧ光源部、及び、青色光を発する色光源部であるＢ光源部を有する。各色光源部は、１つ以上の光源を有する。例えば、赤色光を発するＬＥＤであるＲ−ＬＥＤがＲ光源部として使用され、緑色光を発するＬＥＤであるＧ−ＬＥＤがＧ光源部として使用され、青色光を発するＬＥＤであるＢ−ＬＥＤがＢ光源部として使用される。本実施例では、Ｒ光源部からの赤色光、Ｇ光源部からの緑色光、及び、Ｂ光源部からの青色光が、混色し、液晶パネルの背面で白色光になるように、複数の光源部、光学ユニット、及び、液晶パネルが配置されている。
【００１９】
なお、色光源部は、Ｒ光源部、Ｇ光源部、及び、Ｂ光源部に限られない。バックライトユニット３は、Ｒ光源部、Ｇ光源部、及び、Ｂ光源部の少なくともいずれかを有していなくてもよい。バックライトユニット３は、黄色光を発する色光源部であるＹ光源部などを有していてもよい。また、複数の光源部の配置はマトリクス状の配置に限られない。例えば、複数の光源部が千鳥格子状に配置されていてもよい。
【００２０】
本実施例では、複数の光源部が、画面の領域を構成する複数の分割領域にそれぞれ対応付けられている。特徴量取得部４は、複数の光源部のそれぞれについて、その光源部の分割領域に対応する画像領域（分割領域に表示される画像領域）における特徴量を、入力画像データから取得する。そして、特徴量取得部４は、各光源部に対して取得した特徴量を、ＢＬ基準輝度決定部５へ通知（出力）する。本実施例では、特徴量取得部４は、分割領
域に対応する画像領域における階調値の最大値を、当該分割領域の光源部に対する特徴量として取得する。
【００２１】
ここで、各画素値がＲＧＢ値（赤色の階調値であるＲ値、緑色の階調値であるＧ値、及び、青色の階調値であるＢ値の組み合わせ）であるＲＧＢ画像データが入力画像データとして取得される場合を考える。この場合には、最大Ｒ値（Ｒ値の最大値）が特徴量として取得されてもよいし、最大Ｇ値（Ｇ値の最大値）が特徴量として取得されてもよいし、最大Ｂ値（Ｂ値の最大値）が特徴量として取得されてもよい。最大Ｒ値、最大Ｇ値、及び、最大Ｂ値のうちの最大値が、特徴量として取得されてもよい。各画素についてＲＧＢ値からＹ値（輝度値）が算出されてもよい。そして、Ｙ値の最大値が特徴量として取得されてもよい。
【００２２】
特徴量取得部４の処理の具体例を、図２（Ａ），２（Ｂ）を用いて説明する。図２（Ａ）は、入力画像データの一例を示す。図２（Ａ）は、入力画像データの階調値が１０ビットの値（０〜１０２３）である場合の例を示す。図２（Ａ）では、階調値が大きいほど（輝度が高いほど）白色に近く、且つ、階調値が小さいほど（輝度が低いほど）黒色に近い色で、階調値が示されている。図２（Ａ）において、白色は階調値１０２３に対応し、黒色は階調値０に対応する。図２（Ａ）の入力画像データには、階調値が１０２３である３つのオブジェクト（四角形の２つのオブジェクト、および、円形の１つのオブジェクト）が存在している。そして、図２（Ａ）の入力画像データでは、左から右へ進む方向において、背景の階調値が５１２から０へ変化している。
【００２３】
図２（Ｂ）は、各分割領域（各光源部）に対して取得された特徴量の一例を示す。図２（Ｂ）は、図２（Ａ）の入力画像データから取得された特徴量を示す。図２（Ｂ）において、水平方向に並んだ数値（１〜１０）は、分割領域の水平位置（水平方向における位置）を示し、垂直方向に並んだ数値（１〜６）は、分割領域の垂直位置（垂直方向における位置）を示す。図２（Ｂ）に示すように、オブジェクトの少なくとも一部を含む分割領域では、特徴量（階調値の最大値；最大階調値）として１０２３が取得されている。そして、オブジェクトを含まない分割領域では、水平位置の増加に伴い、特徴量が５１２から０へ変化している。
【００２４】
なお、光源部に対応する領域（対応領域）は、上記分割領域に限られない。対応領域は他の対応領域から離れていてもよいし、対応領域の少なくとも一部が他の対応領域の少なくとも一部に重なっていてもよい。対応領域と光源の対応関係は、１対１の対応関係でなくてもよい。例えば、１つの対応領域に対して２つ以上の光源が対応付けられていてもよい。対応領域は、画面の領域の一部であってもよいし、画面の領域の全部であってもよい。
【００２５】
なお、入力画像データはＲＧＢ画像データに限られない。例えば、各画素値がＹＣｂＣｒ値（輝度値であるＹ値、色差値であるＣｂ値、及び、色差値であるＣｒ値の組み合わせ）であるＹＣｂＣｒ画像データが、入力画像データとして取得されてもよい。また、特徴量も特に限定されない。例えば、特徴量として、階調値の他の代表値（最小値、平均値、中間値、最頻値、等）、階調値のヒストグラム、等が使用されてもよい。複数の光源部の間で共通の特徴量が取得されてもよい。例えば、複数の光源部の間で共通の特徴量として、入力画像データの画像領域全体に対応する特徴量が取得されてもよい。
【００２６】
ＢＬ基準輝度決定部５は、複数の光源部のそれぞれについて、その光源部の発光輝度（発光量）の基準である基準輝度を決定する。そして、ＢＬ基準輝度決定部５は、各光源部の基準輝度をＢＬ輝度決定部６へ通知する。本実施例では、ＢＬ基準輝度決定部５は、複数の光源部のそれぞれについて、その光源部に対して取得された特徴量に応じて、当該光
源部の基準輝度を決定する。
【００２７】
本実施例では、図３（Ａ）の対応関係を示すルック・アップ・テーブル（ＬＵＴ）が予め用意されている。図３（Ａ）の対応関係は、特徴量と基準輝度との対応関係である。図３（Ａ）の横軸は特徴量を示し、図３（Ａ）の縦軸は基準輝度を示す。基準輝度（発光輝度）０［％］は、光源部が消灯している状態に対応し、基準輝度１００［％］は、上限の発光輝度で光源部が発光している状態に対応する。ＢＬ基準輝度決定部５は、上記ＬＵＴを用いて、特徴量から基準輝度を決定する。図２（Ｂ）の特徴量が取得された場合には、図３（Ａ）の対応関係から、図３（Ｂ）の基準輝度が決定される。
【００２８】
なお、基準輝度の決定方法は上記方法に限られない。例えば、ＬＵＴの代わりに、特徴量と基準輝度との対応関係を示す関数が使用されてもよい。特徴量と基準輝度との対応関係は図３（Ａ）の対応関係に限られない。特徴量と基準輝度との対応関係は特に限定されない。基準輝度の値として、予め定められた固定値が使用されてもよい。
【００２９】
ＢＬ輝度決定部６は、複数の光源部のそれぞれについて、その光源部の発光輝度の目標である目標輝度を決定する。即ち、ＢＬ輝度決定部６は、各光源部の目標輝度を個別に決定する。そして、ＢＬ輝度決定部６は、各光源部の目標輝度を、入射輝度推定部７とＲＧＢ−ＢＬ輝度決定部１０へ通知する。本実施例では、ＢＬ輝度決定部６は、複数の光源部のそれぞれについて、その光源部に対して決定された基準輝度と、ユーザによって指定された輝度（ユーザ指定輝度）とに基づいて、当該光源部の目標輝度を決定する。ユーザは、例えば、画面に表示された設定画像を用いた操作を行うことにより、表示輝度（画面の輝度）を指定する。本実施例では、表示輝度の上限（階調値の上限に対応する表示輝度）がユーザによって指定される。なお、ユーザ指定輝度は、表示輝度の上限に限られない。例えば、階調値の上限よりも小さい他の階調値に対応する表示輝度が、ユーザによって指定されてもよい。また、目標輝度の決定方法は特に限定されない。例えば、基準輝度が目標輝度として使用されてもよい。
【００３０】
目標輝度は、例えば、以下の式１を用いて算出される。式１において、「上限透過率」は、液晶パネルの透過率の上限である。
目標輝度＝（ユーザ指定輝度÷上限透過率）×基準輝度  ・・・（式１）
【００３１】
上限透過率は特に限定されないが、上限透過率が１０［％］である場合を考える。そして、ユーザ指定輝度が２００［ｃｄ／ｍ２］であり、且つ、基準輝度が１００［％］である場合を考える。この場合には、式１を用いて、目標輝度２０００［ｃｄ／ｍ２］が得られる。上限透過率が１０［％］であり、且つ、ユーザ指定輝度が１０００［ｃｄ／ｍ２］であり、且つ、基準輝度が１００［％］である場合を考える。この場合には、式１を用いて、目標輝度１００００［ｃｄ／ｍ２］が得られる。上限透過率が１０［％］であり、且つ、ユーザ指定輝度が１０００［ｃｄ／ｍ２］であり、且つ、基準輝度が８０［％］である場合を考える。この場合には、式１を用いて、目標輝度８０００［ｃｄ／ｍ２］が得られる。
【００３２】
ここで、光源部からの光が、当該光源部に対応する分割領域の周囲へ漏れる場合を考える。例えば、バックライトユニット３が直下型のバックライトユニットの場合において、上記漏れが生じる。この場合には、上記漏れを考慮して目標輝度を決定することが好ましい。上記漏れ（分割領域間における光（光源部からの光）の漏れ）を考慮して目標輝度を決定する方法としては、これまでに提案された種々の方法を用いることができる。例えば、上記漏れを考慮して目標輝度を決定する方法は、特開２０１４−４４３０２号公報に開
示されている。特開２０１４−４４３０２号公報に開示の方法を用いた場合の具体例を、以下に説明する。
【００３３】
まず、基準輝度１００［％］の光源部の目標輝度が１００［ｃｄ／ｍ２］となり、且つ、目標輝度が基準輝度に比例するように、各光源部の目標輝度が仮決定される。その後、複数の分割領域のそれぞれについて、バックライトユニット３（複数の光源部）から発せられた光の入射輝度（液晶パネルへの入射時における輝度）が、上記漏れを考慮して推定される。そして、推定された入射輝度が必要輝度（例えば、式１の左辺から得られる輝度）よりも低い分割領域が存在する場合には、全ての分割領域において入射輝度が必要輝度以上となるように、各光源部の目標輝度が同じ増加率で高められる。
【００３４】
本実施例では、複数の分割領域のそれぞれについて、入射輝度の推定の対象である推定位置が予め定められている。推定位置は特に限定されないが、例えば、複数の分割領域のそれぞれについて、その分割領域の中心位置が推定位置として予め定められている。そのため、光源部と推定位置の組み合わせは、複数存在する。そして、複数の上記組み合わせのそれぞれについて、減衰係数が予め定められている。減衰係数は、その減衰係数に対応する光源部から発せられた光の、当該減衰係数に対応する推定位置に到達するまでの減衰の度合いである。
【００３５】
本実施例では、複数の推定位置のそれぞれについて、以下の処理が行われる。それにより、複数の分割領域にそれぞれ対応する複数の入射輝度が推定される。まず、処理対象の推定位置に対応する減衰係数を目標輝度に乗算する処理が、各光源部について行われる。次に、各光源部に対して得られた乗算結果の総和が、所定対象の推定位置における入射輝度として算出される。
【００３６】
図３（Ｃ）は、上記方法によって決定された目標輝度の一例を示す。図３（Ｃ）は、上限透過率が１００［％］であり、且つ、ユーザ指定輝度が１０００［ｃｄ／ｍ２］である場合を示す。図３（Ｃ）では、図３（Ｂ）で基準輝度が１００［％］である分割領域に対して、ユーザ指定輝度１０００［ｃｄ／ｍ２］よりも低い目標輝度５００［ｃｄ／ｍ２］が対応付けられている。これは、上記分割領域の周囲から合計で５００［ｃｄ／ｍ２］以上の輝度の光が漏れくるからである。周囲からの光の漏れは、他の分割領域でも生じる。そのため、図３（Ｂ）では、他の分割領域に対しても、ユーザ指定輝度１０００［ｃｄ／ｍ２］に図３（Ｂ）の基準輝度を乗算することで得られる輝度（式１の左辺から得られる輝度）よりも低い目標輝度が対応付けられている。
【００３７】
入射輝度推定部７は、各光源部の目標輝度に基づいて、複数の推定位置にそれぞれに対応する複数の入射輝度を推定する。そして、入射輝度推定部７は、各推定位置の入射輝度を画像補正値決定部８へ通知する。入射輝度の推定方法は上述したとおりである。分割領域の形状、推定位置、等は特に限定されない。本実施例では、各分割領域の形状が四角形である。そして、本実施例では、入射輝度推定部７は、各分割領域の四隅の位置、各分割領域の各辺の中心位置、及び、各分割領域の中心位置である複数の位置のそれぞれを、推定位置として使用する。
【００３８】
画像補正値決定部８は、入射輝度推定部７で使用された複数の推定位置のそれぞれについて、推定された入射輝度に基づいて、画像データを補正する補正値を決定する。そして、画像補正値決定部８は、各推定位置の補正値を画像補正部９へ出力する。表示装置には、「入力画像データに応じた輝度を正確に表示したい」というニーズがある。入射輝度が所定の輝度から変化すると、表示輝度も変化する。そのため、例えば、所定の輝度からの入射輝度の変化に対応する表示輝度の変化を低減する値が、補正値として決定される。本実施例では、以下の式２を用いて、画像データの階調値に乗算されるゲイン値である補正
係数Ｇｐｎが、補正値として算出される。式２において、「Ｌｔ」は、上記所定の輝度であり、「Ｌｐｎ」は、推定された入射輝度である。所定の輝度Ｌｔは、例えば、ユーザ指定輝度に比例する輝度である。なお、補正値はゲイン値に限られない。例えば、補正値として、画像データの階調値に加算するオフセット値が決定されてもよい。
Ｇｐｎ＝Ｌｔ／Ｌｐｎ  ・・・（式２）
【００３９】
画像補正部９は、画像補正値決定部８によって決定された補正値を用いて入力画像データの各階調値を補正することにより、処理画像データを生成する。そして、画像補正部９は、処理画像データを液晶パネル部２へ出力する。具体的には、入射輝度推定部７で使用された推定位置については、画像補正値決定部８によって決定された補正係数Ｇｐｎが入力画像データの階調値に乗算される。入射輝度推定部７で使用された推定位置とは異なる位置については、当該位置の周囲の複数の推定位置に対して決定された複数の補正係数Ｇｐｎを用いた補間処理により、補正係数が決定される。そして、決定された補間係数が入力画像データの階調値に乗算される。
【００４０】
ＲＧＢ−ＢＬ輝度決定部１０は、複数の光源部のそれぞれについて、その光源部の目標輝度から、当該光源部の有するＲ光源部の目標輝度、当該光源部の有するＧ光源部の目標輝度、及び、当該光源部の有するＢ光源部の目標輝度を個別に決定する。「光源部の目標輝度から複数の色光源部にそれぞれ対応する複数の目標輝度を決定する処理」は、「光源部の目標輝度を複数の色光源部にそれぞれ対応する複数の目標輝度へ分ける処理」とも言える。そして、ＲＧＢ−ＢＬ輝度決定部１０は、各色光源部の目標輝度を、駆動時間決定部１１へ通知する。
【００４１】
本実施例では、液晶パネルの背面に白色光を照射するための比率として、Ｒ光源部の発光輝度：Ｇ光源部の発光輝度：Ｂ光源部の発光輝度＝３：６：１が予め定められている。そして、ＲＧＢ−ＢＬ輝度決定部１０は、複数の光源部のそれぞれについて、以下の式３−１〜３−３を用いて、Ｒ光源部の目標輝度、Ｇ光源部の目標輝度、及び、Ｂ光源部の目標輝度を算出する。光源部の目標輝度が５００［ｃｄ／ｍ２］である場合には、式３−１〜３−３を用いて、Ｒ光源部の目標輝度１５０［ｃｄ／ｍ２］、Ｇ光源部の目標輝度３００［ｃｄ／ｍ２］、及び、Ｂ光源部の目標輝度５０［ｃｄ／ｍ２］が算出される。なお、比率は３：６：１に限られない。
Ｒ光源部の目標輝度＝光源部の目標輝度×３÷（３＋６＋１）
・・・（式３−１）
Ｇ光源部の目標輝度＝光源部の目標輝度×６÷（３＋６＋１）
・・・（式３−２）
Ｂ光源部の目標輝度＝光源部の目標輝度×１÷（３＋６＋１）
・・・（式３−３）
【００４２】
駆動時間決定部１１は、各色光源部に対して駆動値決定処理を行う。色光源部に対する駆動値決定処理は、「色光源部の目標輝度に基づいて、色光源部の発光輝度を目標輝度へ制御する値であり、且つ、色光源部の駆動時間に関する値である駆動値を決定する処理」である。駆動値決定処理は、「駆動時間を決定する処理」とも言える。駆動時間決定部１１は、決定した駆動値を、総駆動時間決定部１２と駆動時間補正部１５へ通知する。
【００４３】
本実施例では、駆動時間決定部１１は、各色光源部の発光効率を考慮して各色光源部の駆動値を決定する。具体的には、駆動値決定処理として、「以下の３つの要素１〜３に基づいて色光源部の駆動値を決定する処理」が行われる。
要素１：色光源部の目標輝度
要素２：色光源部の発光効率が基準の発光効率である場合における、色光源部の発光輝度と色光源部の駆動値との対応関係
要素３：色光源部の発光効率と基準の発光効率との間の差
【００４４】
「色光源部の発光効率が基準の発光効率である場合における、色光源部の発光輝度と色光源部の駆動値との対応関係」は、「色光源部の発光効率が基準の発光効率である場合における、色光源部の発光輝度と色光源部の駆動時間との対応関係」とも言える。この対応関係は特に限定されないが、本実施例では、図４の対応関係が使用される。図４の横軸は、色光源部の発光輝度を示し、図４の縦軸は、色光源部の駆動時間を示す。図４の太実線は、色光源部の発光効率が基準の発光効率である場合の対応関係を示す。図４の駆動時間の値は、規格化された値である。駆動時間１００［％］は、１フレームの期間において色光源部が点灯し続ける状態に対応する。実際には、光源ドライバ（各光源の発光を制御する制御回路）のリセット期間が必要である。そのため、１フレームの期間の長さが１６．６［ｍｓｅｃ］である場合には、駆動時間１００［％］は１６．６［ｍｓｅｃ］以下の時間に対応する。
【００４５】
「色光源部の発光効率と基準の発光効率との間の差」として、以下の３つの差１〜３が存在し得る。本実施例では、差１〜３の全てが考慮される。なお、差１〜３の１つまたは２つが考慮されなくてもよい。例えば、差１のみが考慮されてもよいし、差２，３のみが考慮されてもよい。
差１：色光源部の製造時に生じた差
差２：色光源部の温度変化に起因して生じた差
差３：色光源部の経年劣化に起因して生じた差
【００４６】
本実施例では、上記差１に起因した輝度変化（目標輝度からの発光輝度の変化）を低減する第１補正値Ｃｈ（ｃ，ｘ，ｙ）が、第１補正値記憶部１８に予め記録されている。第１補正値Ｃｈ（ｃ，ｘ，ｙ）は、位置（水平位置，垂直位置）＝（ｘ，ｙ）の光源部に属し、且つ、発光色が色ｃである色光源部の補正値である。また、本実施例では、上記差２，３に起因した輝度変化（目標輝度からの発光輝度の変化）を低減する第２補正値Ｃｄ（ｃ，ｘ，ｙ）が、第２補正値決定部１７によって決定される。第２補正値Ｃｄ（ｃ，ｘ，ｙ）は、位置（ｘ，ｙ）の光源部に属し、且つ、発光色が色ｃである色光源部の補正値である。
【００４７】
本実施例では、駆動時間決定部１１は、図４の対応関係（図４の対応関係を示すＬＵＴ、図４の対応関係を示す関数、等）から、色光源部の目標輝度Ｌ（ｃ，ｘ，ｙ）に対応する駆動時間Ｄｒ（ｃ，ｘ，ｙ）＝ｆ（Ｌ（ｃ，ｘ，ｙ））を取得する。また、駆動時間決定部１１は、第１補正値Ｃｈ（ｃ，ｘ，ｙ）を第１補正値記憶部１８から取得し、第２補正値Ｃｄ（ｃ，ｘ，ｙ）を第２補正値決定部１７から取得する。そして、駆動時間決定部１１は、以下の式４を用いて、駆動時間Ｄｒ（ｃ，ｘ，ｙ）、第１補正値Ｃｈ（ｃ，ｘ，ｙ）、及び、第２補正値Ｃｄ（ｃ，ｘ，ｙ）から、色光源部の駆動時間ＲＤｒ（ｃ，ｘ，ｙ）を算出する。本実施例では、駆動時間決定部１１は、駆動時間ＲＤｒ（ｃ，ｘ，ｙ）を駆動値として通知する。
ＲＤｒ（ｃ，ｘ，ｙ）
＝Ｄｒ（ｃ，ｘ，ｙ）×Ｃｈ（ｃ，ｘ，ｙ）×Ｃｄ（ｃ，ｘ，ｙ）
・・・（式４）
【００４８】
このような処理が、各色光源部について個別に行われる。以後、位置（ｘ，ｙ）の光源部に属すＲ光源部の駆動時間ＲＤｒ（ｃ，ｘ，ｙ）を「駆動時間ＲＤｒｒ（ｘ，ｙ）」と記載する。位置（ｘ，ｙ）の光源部に属すＧ光源部の駆動時間ＲＤｒ（ｃ，ｘ，ｙ）を「駆動時間ＲＤｒｇ（ｘ，ｙ）」と記載する。そして、位置（ｘ，ｙ）の光源部に属すＢ光源部の駆動時間ＲＤｒ（ｃ，ｘ，ｙ）を「駆動時間ＲＤｒｂ（ｘ，ｙ）」と記載する。
【００４９】
なお、駆動時間の値とは異なる値が駆動値として使用されてもよい。例えば、駆動値として、駆動時間に比例する他の値が使用されてもよい。具体的には、色光源部がパルス幅変調方式で駆動される場合などおいて、光源ドライバの処理を制御する制御値として、駆動時間に比例する値が使用される。そのような場合には、光源ドライバの制御値が駆動値として使用されてもよい。
【００５０】
総駆動時間決定部１２は、各色光源部の駆動値（駆動時間決定部１１によって決定された駆動値）に基づいて総駆動時間を決定し、決定した総駆動時間を時間補正値決定部１３へ通知する。本実施例では、総駆動時間は、発光色が同じ複数の色光源部にそれぞれ対応する複数の駆動時間の総和である。また、本実施例では、総駆動時間決定部１２は、複数の発光色のそれぞれについて総駆動時間を決定する。具体的には、総駆動時間決定部１２は、各Ｒ光源部の駆動値に基づいて、複数のＲ光源部にそれぞれ対応する複数の駆動時間の総和である総駆動時間を決定する。総駆動時間決定部１２は、各Ｇ光源部の駆動値に基づいて、複数のＧ光源部にそれぞれ対応する複数の駆動時間の総和である総駆動時間を決定する。そして、総駆動時間決定部１２は、各Ｂ光源部の駆動値に基づいて、複数のＢ光源部にそれぞれ対応する複数の駆動時間の総和である総駆動時間を決定する。
【００５１】
時間補正値決定部１３は、各色光源部の駆動値（駆動時間決定部１１によって決定された駆動値）を補正する時間補正値を決定し、決定した時間補正値を時間補正値選択部１４へ通知する。時間補正値は、「駆動時間を補正する補正値」とも言える。具体的には、時間補正値決定部１３は、総駆動時間決定部１２によって決定された総駆動時間を閾値と比較し、比較結果に基づいて時間補正値を決定する処理を、複数の発光色のそれぞれについて行う。本実施例では、総駆動時間が閾値よりも長い発光色については、総駆動時間を閾値以下に制限する時間補正値が決定される。以下に、時間補正値決定部１３の処理の具体例を説明する。
【００５２】
Ｒ光源部に供給される電流量ＩＲ（ｘ，ｙ）、Ｇ光源部に供給される電流量ＩＧ（ｘ，ｙ）、及び、Ｂ光源部に供給される電流量ＩＢ（ｘ，ｙ）は、以下の式５−１〜５−３で表せる。式５−１〜５−３において、「Ｉｒ」は、Ｒ光源部に供給される電流量の時間平均であり、「Ｉｇ」は、Ｇ光源部に供給される電流量の時間平均であり、「Ｉｂ」は、Ｂ光源部に供給される電流量の時間平均である。「色光源部に供給される電流量の時間平均」は、例えば、「１フレームの期間において色光源部が点灯し続ける場合において当該期間に色光源部に供給される電流量の時間平均」である。
ＩＲ（ｘ，ｙ）＝Ｉｒ×ＲＤｒｒ（ｘ，ｙ）  ・・・（式５−１）
ＩＧ（ｘ，ｙ）＝Ｉｇ×ＲＤｒｇ（ｘ，ｙ）  ・・・（式５−２）
ＩＢ（ｘ，ｙ）＝Ｉｂ×ＲＤｒｂ（ｘ，ｙ）  ・・・（式５−３）
【００５３】
そして、各Ｒ光源部に供給される電流量ＩＲ（ｘ，ｙ）の総和ＳＲ、各Ｇ光源部に供給される電流量ＩＧ（ｘ，ｙ）の総和ＳＧ、及び、各Ｂ光源部に供給される電流量ＩＢ（ｘ，ｙ）の総和ＳＢは、以下の式６−１〜６−３で表せる。
ＳＲ＝ΣＩＲ（ｘ，ｙ）
＝Σ（Ｉｒ×ＲＤｒｒ（ｘ，ｙ））
＝Ｉｒ×ΣＲＤｒｒ（ｘ，ｙ）
・・・（式６−１）
ＳＧ＝ΣＩＧ（ｘ，ｙ）
＝Σ（Ｉｇ×ＲＤｒｇ（ｘ，ｙ））
＝Ｉｇ×ΣＲＤｒｇ（ｘ，ｙ）
・・・（式６−２）
ＳＢ＝ΣＩＢ（ｘ，ｙ）
＝Σ（Ｉｂ×ＲＤｒｂ（ｘ，ｙ））
＝Ｉｂ×ΣＲＤｒｂ（ｘ，ｙ）
・・・（式６−３）
【００５４】
式６−１のΣＲＤｒｒ（ｘ，ｙ）は複数のＲ光源部の総駆動時間であり、式６−２のΣＲＤｒｇ（ｘ，ｙ）は複数のＧ光源部の総駆動時間であり、式６−３のΣＲＤｒｂ（ｘ，ｙ）は複数のＢ光源部の総駆動時間である。そのため、総駆動時間と比較される閾値ΣＲＤｒｒ（ｘ，ｙ）ｍａｘ，ΣＲＤｒｇ（ｘ，ｙ）ｍａｘ，ΣＲＤｒｂ（ｘ，ｙ）ｍａｘは、以下の式７−１〜７−３によって得ることができる。式７−１〜７−３において、「ＳＲｍａｘ」は、各Ｒ光源部に供給される電流量の総和の上限であり、「ＳＧｍａｘ」は、各Ｇ光源部に供給される電流量の総和の上限であり、「ＳＢｍａｘ」は、各Ｂ光源部に供給される電流量の総和の上限である。「ΣＲＤｒｒ（ｘ，ｙ）ｍａｘ」は、複数のＲ光源部の総駆動時間と比較される閾値である。「ΣＲＤｒｇ（ｘ，ｙ）ｍａｘ」は、複数のＧ光源部の総駆動時間と比較される閾値である。そして、「ΣＲＤｒｂ（ｘ，ｙ）ｍａｘ」は、複数のＲ光源部の総駆動時間と比較される閾値である。
ΣＲＤｒｒ（ｘ，ｙ）ｍａｘ＝ＳＲｍａｘ／Ｉｒ  ・・・（式７−１）
ΣＲＤｒｇ（ｘ，ｙ）ｍａｘ＝ＳＧｍａｘ／Ｉｇ  ・・・（式７−２）
ΣＲＤｒｂ（ｘ，ｙ）ｍａｘ＝ＳＢｍａｘ／Ｉｂ  ・・・（式７−３）
【００５５】
電流量ＳＲｍａｘ，ＳＧｍａｘ，ＳＢｍａｘは、表示装置１に電力を供給する電源の性能、表示装置１（表示装置１の電源回路など）の性能、等に応じて決まる。そのため、「閾値ΣＲＤｒｒ（ｘ，ｙ）ｍａｘ，ΣＲＤｒｇ（ｘ，ｙ）ｍａｘ，ΣＲＤｒｂ（ｘ，ｙ）ｍａｘは上記性能などによって決まる」とも言える。
【００５６】
電源が出力可能な電流量の上限が複数の発光色の間で同じであっても、一般的に、色光源部に印加される電圧は、複数の発光色の間で異なる。また、一般的に、液晶パネルの背面に白色光を照射するために色光源部に必要な電力も、複数の発光色の間で異なる。そのため、一般的に、電流量ＳＲｍａｘ、電流量ＳＧｍａｘ、及び、電流量ＳＧｍａｘは互いに異なり、閾値ΣＲＤｒｒ（ｘ，ｙ）ｍａｘ、閾値ΣＲＤｒｇ（ｘ，ｙ）ｍａｘ、閾値、ΣＲＤｒｂ（ｘ，ｙ）ｍａｘは互いに異なる。
【００５７】
なお、式７−１〜７−３によれば、総駆動時間の上限が閾値として得られる。しかしながら、総駆動時間の上限とは異なる時間が閾値として使用されてもよい。例えば、総駆動時間の上限よりも短い時間が閾値として使用されてもよい。また、複数の発光色の間で共通の閾値が使用されてもよい。
【００５８】
本実施例では、時間補正値決定部１３は、以下の式８−１〜８−３を用いて、時間補正
値ＧａｉｎＲ，ＧａｉｎＧ，ＧａｉｎＢを算出する。式８−１〜８−３によれば、閾値を総駆動時間で除算することにより、時間補正値ＧａｉｎＲ，ＧａｉｎＧ，ＧａｉｎＢが算出される。そのため、時間補正値ＧａｉｎＲ，ＧａｉｎＧ，ＧａｉｎＢは、総駆動時間に対する閾値の割合である。
ＧａｉｎＲ＝ΣＲＤｒｒ（ｘ，ｙ）ｍａｘ／ΣＲＤｒｒ（ｘ，ｙ）
・・・（式８−１）
ＧａｉｎＧ＝ΣＲＤｒｇ（ｘ，ｙ）ｍａｘ／ΣＲＤｒｇ（ｘ，ｙ）
・・・（式８−２）
ＧａｉｎＢ＝ΣＲＤｒｂ（ｘ，ｙ）ｍａｘ／ΣＲＤｒｂ（ｘ，ｙ）
・・・（式８−３）
【００５９】
時間補正値ＧａｉｎＲは、各Ｒ光源部の駆動値（駆動時間）を補正する時間補正値であり、時間補正値ＧａｉｎＧは、各Ｇ光源部の駆動値を補正する時間補正値であり、時間補正値ＧａｉｎＢは、各Ｂ光源部の駆動値を補正する時間補正値である。具体的には、時間補正値ＧａｉｎＲは、各Ｒ光源部の駆動値に乗算されるゲイン値であり、時間補正値ＧａｉｎＧは、各Ｇ光源部の駆動値に乗算されるゲイン値であり、時間補正値ＧａｉｎＢは、各Ｂ光源部の駆動値に乗算されるゲイン値である。総駆動時間が閾値よりも長い発光色について、各駆動値に時間補正値を乗算することにより、総駆動時間を閾値に制限することができる。
【００６０】
時間補正値決定部１３は、式８−１〜８−３を用いて算出された時間補正値ＧａｉｎＲ，ＧａｉｎＧ，ＧａｉｎＢを出力する。但し、ΣＲＤｒｒ（ｘ，ｙ）≦ΣＲＤｒｒ（ｘ，ｙ）ｍａｘの場合には、時間補正値決定部１３は時間補正値ＧａｉｎＲ＝１を出力する。ΣＲＤｒｇ（ｘ，ｙ）≦ΣＲＤｒｇ（ｘ，ｙ）ｍａｘの場合には、時間補正値決定部１３は時間補正値ＧａｉｎＧ＝１を出力する。そして、ΣＲＤｒｂ（ｘ，ｙ）≦ΣＲＤｒｂ（ｘ，ｙ）ｍａｘの場合には、時間補正値決定部１３は時間補正値ＧａｉｎＢ＝１を出力する。
【００６１】
なお、時間補正値は上記値に限られない。総駆動時間に対する閾値の割合とは異なる値が時間補正値として決定されてもよい。総駆動時間を閾値よりも短い時間に制限する時間補正値が決定されてもよい。各駆動値に加算されるオフセット値が時間補正値として決定されてもよい。
【００６２】
時間補正値選択部１４は、各駆動値（各Ｒ光源部の駆動値、各Ｇ光源部の駆動値、及び、各Ｂ光源部の駆動値）の補正に使用する時間補正値として、時間補正値ＧａｉｎＲ、時間補正値ＧａｉｎＧ、及び、時間補正値ＧａｉｎＢのいずれか１つを選択する。本実施例では、時間補正値選択部１４は、時間補正値ＧａｉｎＲ、時間補正値ＧａｉｎＧ、及び、時間補正値ＧａｉｎＢの最小値を選択する。そして、時間補正値選択部１４は、選択した時間補正値を駆動時間補正部１５へ通知する。
【００６３】
複数の発光色の間で異なる時間補正値を用いた補正が行われる場合には、各駆動値の補正によって、比率（Ｒ光源部の発光輝度：Ｇ光源部の発光輝度：Ｂ光源部の発光輝度）が、液晶パネルの背面に白色光を照射するための比率から変化することがある。時間補正値ＧａｉｎＲ、時間補正値ＧａｉｎＧ、及び、時間補正値ＧａｉｎＢのいずれかを選択して補正に使用することにより、そのような比率の変化を抑制することができる。また、時間補正値ＧａｉｎＲ、時間補正値ＧａｉｎＧ、及び、時間補正値ＧａｉｎＢの最小値よりも大きい時間補正値を用いた補正が行われる場合には、各駆動値を補正しても、総駆動時間が閾値よりも長い発光色が残ることがある。時間補正値ＧａｉｎＲ、時間補正値ＧａｉｎＧ、及び、時間補正値ＧａｉｎＢの最小値を選択して補正に使用することにより、各発光
色の総駆動時間を確実に閾値以下に制限することができる。
【００６４】
なお、各駆動値の補正に使用する時間補正値の選択方法（決定方法）は上記方法に限られない。例えば、時間補正値選択部１４は、各駆動値の補正に使用する時間補正値として、時間補正値ＧａｉｎＲ、時間補正値ＧａｉｎＧ、及び、時間補正値ＧａｉｎＢの最大値を選択してもよい。時間補正値選択部１４は、各駆動値の補正に使用する時間補正値として、時間補正値ＧａｉｎＲ、時間補正値ＧａｉｎＧ、及び、時間補正値ＧａｉｎＢのうちの２番目に大きい値を選択してもよい。時間補正値選択部１４は、各駆動値の補正に使用する時間補正値として、時間補正値ＧａｉｎＲ、時間補正値ＧａｉｎＧ、及び、時間補正値ＧａｉｎＢの他の代表値（平均値、中間値、最頻値、等）を決定してもよい。時間補正値選択部１４は、各Ｒ光源部の駆動値の補正に使用する時間補正値として時間補正値ＧａｉｎＲを選択してもよい。時間補正値選択部１４は、各Ｇ光源部の駆動値の補正に使用する時間補正値として時間補正値ＧａｉｎＧを選択してもよい。時間補正値選択部１４は、各Ｂ光源部の駆動値の補正に使用する時間補正値として時間補正値ＧａｉｎＢを選択してもよい。
【００６５】
駆動時間補正部１５は、時間補正値選択部１４から通知された時間補正値を用いて、駆動時間決定部１１から通知された各駆動値を補正する。本実施例では、駆動時間補正部１５は、時間補正値選択部１４から通知された時間補正値を、駆動時間決定部１１から通知された各駆動値に乗算する。それにより、駆動時間決定部１１から通知された各駆動値が補正される。そして、駆動時間補正部１５は、補正後の各駆動値をバックライトユニット３へ出力する。それにより、バックライトユニット３の各色光源部は、補正後の駆動値に応じた発光を行う。
【００６６】
なお、時間補正値決定部１３は、総駆動時間決定部１２によって決定された総駆動時間が閾値よりも長い発光色についてのみ時間補正値を決定してもよい。そして、駆動時間補正部１５は、総駆動時間が閾値よりも長い発光色が存在しない場合に、各駆動値の補正を省略してもよい。
【００６７】
ＢＬ輝度検出部１６は、バックライトユニット３からの光の輝度（輝度分布；各光源部の発光輝度）を検出する輝度センサである。ＢＬ輝度検出部１６は、バックライトユニット３からの光の輝度の検出結果を、第２補正値決定部１７へ通知する。本実施例では、ＢＬ輝度検出部１６は、複数の発光色のそれぞれについて輝度を検出する。即ち、ＢＬ輝度検出部１６は、各色光源部の発光輝度を検出する。ＢＬ輝度検出部１６の輝度検出は、各色光源部の発光効率の変化を検出するために行われる。そのため、ＢＬ輝度検出部１６の輝度検出は、各色光源部の駆動条件（駆動時間）が同じ状態で行われる。なお、所定の駆動時間に対応する輝度を検出することができれば、輝度検出の方法は特に限定されない。例えば、輝度の検出値として時間積分された値が得られ、得られた検出値から単位時間に対応する輝度が得られてもよい。
【００６８】
第２補正値決定部１７は、ＢＬ輝度検出部１６からの検出結果に基づいて第２補正値を決定し、決定した第２補正値を駆動時間決定部１１へ通知する。例えば、第２補正値決定部１７は、基準の発光効率に対応する輝度（初期輝度）の値を予め記憶している。そして、第２補正値決定部１７は、検出された輝度を初期輝度と比較し、比較結果に基づいて、検出された輝度が初期輝度へ近づけられるように駆動時間を補正する第２補正値を決定する処理を、各色光源部について行う。具体的には、検出された輝度が初期輝度に比べ５［％］だけ低い場合には、駆動時間を５［％］だけ伸ばす第２補正値が決定される。
【００６９】
以上述べたように、本実施例によれば、各光源部の駆動値に基づいて、複数の光源部にそれぞれ対応する複数の駆動時間の総和である総駆動時間が閾値よりも長い場合に、総駆
動時間が閾値以下となるように、各光源部の駆動値が補正される。それにより、各光源部の発光効率を考慮して駆動値が決定され他か否かに拘らず、電力を効率よく利用した表示が可能となる。例えば、総駆動時間が閾値よりも長い場合に、総駆動時間が閾値と略一致するように、各光源部の駆動値を補正することができる。その結果、電力を最大限に利用した表示が可能となる。となるが実施例１の詳細である。以上の構成によって、素子毎の発光効率のばらつきと温度や時間的な発光効率の劣化を考慮した実際の素子毎の駆動時間を計算することで、正確な総駆動時間を求める。これによって、電源の制約条件の限界で表示することができ、電源の使用効率の高い表示が可能となる。
【００７０】
なお、本実施例では、各光源部が複数種類の色光源部を有する例を説明した。しかしながら、各光源部は複数種類の色光源部を有していなくてもよい。例えば、各光源部は１つ以上の白色光源（白色光を発する光源）のみを有していてもよい。その場合には、色光源部に対する上記処理が、光源部に対する処理として行われればよい。また、その場合には、ＲＧＢ−ＢＬ輝度決定部１０の処理と、時間補正値選択部１４の処理とは省略される。
【００７１】
なお、複数の光源部が２つ以上の部分発光部に区分されており、２つ以上の部分発光部にそれぞれ対応する２つ以上の電源（および２つ以上の電源回路）が使用されることがある。各部分発光部は１つ以上の光源部を含む。例えば、画面サイズが大きい場合などにおいて、複数の部分発光部にそれぞれ対応する複数の電源が使用されることがある。具体的には、画面の領域を構成する複数の部分領域として、複数の部分発光部にそれぞれ対応する複数の領域が予め設定され、複数の部分領域にそれぞれ対応する複数の電源が使用されることがある。複数の部分領域として、例えば、上下に並んだ２つの領域、左右に並んだ２つの領域、２行２列で並んだ４つの領域、等が設定される。その場合には、各部分発光部について時間補正値が個別に決定され、複数の部分発光部にそれぞれ対応する複数の時間補正値から、各駆動値の補正に使用する時間補正値が決定されればよい。例えば、複数の部分発光部にそれぞれ対応する複数の時間補正値の最小値が、各駆動値の補正に使用する時間補正値として選択されればよい。
【００７２】
＜実施例２＞
以下、本発明の実施例２について説明する。なお、以下では、実施例１と異なる点（構成、処理、等）について詳しく説明し、実施例１と同じ点についての説明は省略する。本実施例では、表示装置が、第１モードと、各色光源部に供給される電流値が第１モードよりも大きい第２モードとを含む複数の動作モードを有する例を説明する。
【００７３】
図５は、本実施例に係る表示装置１０１の構成例を示すブロック図である。図５では、実施例１（図１）と同じ機能部に対して、実施例１と同じ符号が付されている。図５に示すように、表示装置１０１は、実施例１の表示装置１の各機能部、ユーザＩ／Ｆ部１０２、動作モード設定部１０３、モード値設定部１０４、及び、画像合成部１０５を有する。
【００７４】
画像合成部１０５は、入力画像データを取得する。そして、画像合成部１０５は、入力画像データにグラフィック画像データを合成することにより合成画像データを生成し、合成画像データを特徴量取得部４と画像補正部９とへ出力する。合成画像データは、例えば、入力画像データによって表された入力画像と、グラフィック画像データによって表されたグラフィック画像とが配置された合成画像を表す。本実施例では、画像合成部１０５は、ユーザＩ／Ｆ部１０２からの表示指示に応じて、入力画像とグラフィック画像とが配置された合成画像を表す合成画像データを生成して出力する。
【００７５】
グラフィック画像は特に限定されない。本実施例では、グラフィック画像は、複数の動作モードのいずれかをユーザに選択させるメニュー画像である。具体的には、グラフィック画像は、複数の動作モードにそれぞれ対応する複数の項目を有するメニュー画像である
。図６は、合成画像の一例を示す。図６の合成画像では、入力画像の一部の画像領域にメニュー画像が重ねられている。図６のメニュー画像は、高輝度モードに対応する項目と、低輝度モードに対応する項目とを有する。高輝度モードでは、表示輝度が低輝度モードよりも高く、各色光源部に供給される電流値が低輝度モードよりも大きい。なお、動作モードの数は２つより多くてもよい。動作モードは、高輝度モードと低輝度モードの少なくとも一方を含んでいなくてもよい。
【００７６】
また、画像合成部１０５は、合成画像データを出力せずに、入力画像データを出力することもできる。例えば、表示指示が行われる前の期間において、画像合成部１０５は、入力画像データを特徴量取得部４と画像補正部９とへ出力する。また、画像合成部１０５は、ユーザＩ／Ｆ部１０２からの消去指示に応じて、出力する画像データを合成画像データから入力画像データへ切り替える。
【００７７】
ユーザＩ／Ｆ部１０２は、ユーザ操作（ユーザによって表示装置１０１に対して行われた操作）を受け付け可能なインターフェイスである。ユーザＩ／Ｆ部１０２は、ユーザ操作が行われた場合に、行われたユーザ操作に対応する信号（指示）を出力する。本実施例では、ユーザＩ／Ｆ部１０２は、メニュー画像を表示するためのユーザ操作（表示操作）に応じて、表示指示を画像合成部１０５へ出力する。ユーザＩ／Ｆ部１０２は、メニュー画像を消去するためのユーザ操作（消去操作）に応じて、消去指示を画像合成部１０５へ出力する。ユーザＩ／Ｆ部１０２は、動作モードを設定するための設定操作に応じて、設定指示を動作モード設定部１０３へ出力する。
【００７８】
ユーザ操作は特に限定されない。本実施例では、図６に示すように、表示装置１０１は、メニューボタンと設定ボタンを有する。表示操作は、メニューボタンを押下するユーザ操作であり、消去操作は、表示操作の次にメニューボタンを押下するユーザ操作である。設定操作は、メニュー画像の複数の項目のいずれかをユーザが選択した状態で設定ボタンを押下するユーザ操作である。設定指示は、ユーザによって選択された項目（動作モード）に関する指示である。
【００７９】
動作モード設定部１０３は、複数の動作モードのいずれかを選択し、選択した動作モードをモード値設定部１０４に対して設定する。本実施例では、動作モード設定部１０３は、ユーザ操作に応じて、複数の動作モードのいずれかを設定する。具体的には、動作モード設定部１０３は、ユーザＩ／Ｆ部１０２からの設定指示に応じて、ユーザによって選択された動作モードを選択して設定する。なお、動作モードの設定方法は特に限定されない。例えば、動作モードは、入力画像データの特徴、入力画像データの種類、表示装置１０１の使用環境、等に応じて自動で設定されてもよい。
【００８０】
モード値設定部１０４は、設定されている動作モードに対応する情報を使用するための指示を、バックライトユニット３、駆動時間決定部１１、時間補正値決定部１３、第２補正値決定部１７、及び、第１補正値記憶部１８へ出力する。
【００８１】
例えば、モード値設定部１０４は、設定されている動作モードに対応する電流値を使用するための指示を、バックライトユニット３へ出力する。それにより、バックライトユニット３において、設定されている動作モードに対応する電流値が使用される。具体的には、設定されている動作モードが低輝度モードから高輝度モードへ切り替えられると、モード値設定部１０４は、各色光源部に供給される電流値を高めるための指示を、バックライトユニット３へ出力する。それにより、各色光源部に供給される電流値が、低輝度モードに対応する電流値から、高輝度モードに対応する電流値へ高められる。その結果、バックライトユニット３（各色光源部）の駆動時間が一定である場合において、バックライトユニット３（各色光源部）の発光輝度が高められ、表示輝度が高められる。
【００８２】
色光源部の発光輝度と色光源部の駆動時間との対応関係は、色光源部に供給される電流値に依存する。そのため、モード値設定部１０４は、設定されている動作モードに対応する対応関係を使用するための指示を、駆動時間決定部１１へ出力する。それにより、駆動時間決定部１１において、設定されている動作モードに対応する対応関係が使用される。具体的には、駆動時間決定部１１は、色光源部の発光輝度と色光源部の駆動時間との対応関係を示すＬＵＴとして、複数の動作モードにそれぞれ対応する複数のＬＵＴを予め記憶する。そして、設定されている動作モードが切り替えられると、モード値設定部１０４は、切り替え後の動作モードに対応するＬＵＴを使用するための指示を、駆動時間決定部１１へ出力する。それにより、駆動時間決定部１１において、使用されるＬＵＴが、切り替え後の動作モードに対応するＬＵＴへ切り替えられる。
【００８３】
モード値設定部１０４は、総駆動時間と比較される閾値として、設定されている動作モードに対応する閾値を使用するための指示を、時間補正値決定部１３へ出力する。それにより、時間補正値決定部１３において、設定されている動作モードに対応する閾値が使用される。具体的には、時間補正値決定部１３は、総駆動時間と比較される閾値として、複数の動作モードにそれぞれ対応する複数の閾値を予め記憶する。そして、設定されている動作モードが切り替えられると、モード値設定部１０４は、切り替え後の動作モードに対応する閾値を使用するための指示を、時間補正値決定部１３へ出力する。それにより、時間補正値決定部１３において、使用される閾値が、切り替え後の動作モードに対応する閾値へ切り替えられる。各色光源部に供給される電流値が大きいほど、総駆動時間の上限は短いと考えられる。そのため、本実施例では、高輝度モードが設定されている場合において、低輝度モードが設定されている場合よりも短い時間が、閾値として使用される。なお、動作モードと閾値との対応関係は特に限定されない。例えば、高輝度モードが設定されている場合において、低輝度モードが設定されている場合よりも長い時間が、閾値として使用されてもよい。また、閾値の変更方法は、予め用意された複数の閾値の間で閾値を切り替える方法に限られない。例えば、１つの動作モードに対応する閾値が予め用意されており、時間補正値決定部１３が、予め用意された閾値、切り替え後の動作モードに対応する閾値、等を補正することにより、切り替え後の動作モードに対応する閾値を決定してもよい。そして、時間補正値決定部１３が、使用される閾値を、決定した閾値へ切り替えてもよい。
【００８４】
色光源部の発光効率は、色光源部に供給される電流値に依存する。そのため、モード値設定部１０４は、設定されている動作モードに対応する第１補正値を使用するための指示を、第１補正値記憶部１８へ出力する。それにより、第１補正値記憶部１８から駆動時間決定部１１へ、設定されている動作モードに対応する第１補正値が通知され、駆動時間決定部１１において、設定されている動作モードに対応する第１補正値が使用される。
【００８５】
色光源部の発光効率に対応する色光源部の発光輝度は、色光源部に供給される電流値に依存する。また、モード値設定部１０４は、設定されている動作モードに対応する初期輝度を使用するための指示を、第２補正値決定部１７へ出力する。それにより、第２補正値決定部１７において、設定されている動作モードに対応する初期輝度を用いて第２補正値が決定される。
【００８６】
以上述べたように、本実施例によれば、設定されている動作モードの変更に応じて、総駆動時間と比較される閾値が変更される。それにより、電力をより効率よく利用した表示が可能となる。さらに、表示装置に必要な電力が上限を超えることをより確実に抑制することもできる。そして、本実施例によれば、設定されている動作モードの変化に起因した発光効率の変化などが考慮される。そのため、設定されている動作モードに依らず、高画質な画像を表示することができる。
【００８７】
なお、本実施例では、バックライトユニット３、駆動時間決定部１１、時間補正値決定部１３、第２補正値決定部１７、及び、第１補正値記憶部１８の一部において、情報更新（設定されている動作モードの変更に応じた情報の変更）が省略されてもよい。例えば、メモリの記憶容量、表示装置の処理負荷、素子の特性、要求画質、等を考慮して、一部の情報更新が省略されてもよい。具体的には、複数の動作モードを代表する第１補正値を予め用意し、動作モードの変更に応じた第１補正値の変更が省略されてもよい。それにより、表示画像（画面に表示された画像）の画質の若干の低下が生じる虞があるが、予め用意された第１補正値の総データサイズを低減することができる。その結果、第１補正値記憶部１８として、記憶容量の小さい安価なメモリなどを使用することができ、表示装置のコストを低減することができる。
【００８８】
なお、実施例１，２の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８９】
なお、実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００９０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９１】
１，１０１：表示装置  ２：液晶パネル部  ３：バックライトユニット
１１：駆動時間決定部  １５：駆動時間補正部
【図１】
2018031946.tif 000003
【図２】
2018031946.tif 000004
【図３】
2018031946.tif 000005
【図４】
2018031946.tif 000006
【図５】
2018031946.tif 000007
【図６】
2018031946.tif 000008